(57)【要約】【課題】本考案は、ブラジャーの形にあわない胸元を、カップとの隙間を埋める為に、バストアップさせ、美しいラインを作る。【解決手段】本考案は、ブラジャーに、立体的なポケットを作り、形成された、パットを入れる。パット上部平面部分に、乳房を乗せることにより、バストアップし、胸肉の薄い部分も肉厚になり、ブラジャーを装置した時、美しいラインができあがる。【選択図】図２
0003130963.tif 000002
【実用新案登録請求の範囲】
【請求項１】
ブラジャー本体に、考案した、パットが収まる袋状の物を形成する。
【請求項２】
考案したパットは、ブラジャーを装置した時に、胸元を美しくさせる物である。垂れ下がった乳房、若しくは、加齢の為、胸肉の薄くなったところを、乳房を持ち上げ、ささえる台となるパットに、乳房を乗せることによって、美しい胸元を与える事が出来る。
パットの中味は、形成された袋物に、シリコン、空気、ウレタン等、好みに応じたものを、いれられる事が考えられる。
【考案の詳細な説明】
【技術分野】
【０００１】胸元を美しく見せる、ブラジャーとパットに関するものである。
【背景技術】
【０００２】最近は、美しい形の、形成されたブラジャーが、市場に出ております。美しい形に憧れ装置しますと、カップの上辺と、胸元との間に、１ｃｍから２ｃｍ程の隙間が生じます。垂れ下がった乳房、加齢の為、胸肉がなくなってしまった人、若い人でも、乳房の形に合わせると、ブラジャーの上辺と胸元との間に、やはり、隙間が生じています。美しい乳房なのに、貧弱な乳房を連想させています。
美しくありません。
【考案の開示】
【考案が解決しようとする課題】
【０００３】ブラジャーの上辺と、胸元を密着させることにより、胸元から、カップへと流れる線が直線的になり、美しい姿になります。乳房を持ち上げる事によって解決しようとするものです。
【課題を解決するための手段】
【０００４】本考案は、片方のブラジャー本体を横から見ると、おおよそ、半球を縦にしたような形になっています。ブラジャーの横半分から下部の部分を、形成されたパットを装着する事によって、乳房が持ち上げられる。よって、問題点が解決します。
【考案の効果】
【０００５】    上述のように、持ち上げられた乳房によって、ブラジャー上辺は、隙間がなくなり、首から胸、胸元からブラジャーへの美しい線が得られる。
【考案を実施するための最良の形態】
【０００６】ブラジャー本体の片方だけの説明になりますが、ブラジャーを内側から見て、形はおおよそ円の様に見えます。その円周の横半分からの下部分に、突き出たカップの形にそわせず、壁を作るように布をつけ、パットを入れるポケットを作ります。そこへ、ポケットを同じ形のパットを入れます。パットは、ポケットと同じような形で形成されている。中味は、シリコン、空気、ウレタン等、好みの物を使用する。
【実施例】
【０００７】以下、添付図面に従って一実施例を説明する。１の布はブラジャー２から３へ結ぶ線と、下半分の部分を、布で作り、突き出たカップとの間に、立体的な空間を作り、パットを入れる袋とする。【０００８】４は、カップの中に入れるパットである。中味は、シリコン、空気、ウレタン等、材料として使える。
【産業上の利用可能性】
【０００９】胸元を美しく有りたい、見せたいという願望を満足させるものとして、多くの女性達に、共感を与えられるものと確信します。
【図面の簡単な説明】
【００１０】
【図１】本考案の胸元の美しいブラジャーの一実施例を示す正面図である。
【図２】本考案のブラジャーとパットの一部の斜視図である。
【符号の説明】
【００１１】１  ブラジャーのポケット部分の布の壁
２  ブラジャーカップの左
３  ブラジャーカップの右
４  乳房を乗せる為のパット
【図１】
0003130963.tif 000003
【図２】
0003130963.tif 000004
【手続補正書】
【提出日】平成19年1月16日(2007.1.16)
【手続補正１】
【補正対象書類名】実用新案登録請求の範囲
【補正対象項目名】全文
【補正方法】変更
【補正の内容】
【実用新案登録請求の範囲】
【請求項１】
１）パットの形状は、ブラジャーカップを縦型の半球と考え、その半球の中心よりやや下部分の内容積で、およそ１／４球形になっており乳房を乗せられる事を特徴とします。
２）パット内の材質として、シリコン又はウレタン或るいは空気で、漏れない構造の袋に入っている。
以上１）２）の構造よりなるブラジャー用のパット。
【請求項２】
ブラジャーカップに布を縫い合わせ、パットが収まる脱落防止のポケットを設けたことを特徴とする請求項１記載のパットを持ったブラジャー。
【手続補正２】
【補正対象書類名】明細書
【補正対象項目名】全文
【補正方法】変更
【補正の内容】
【考案の詳細な説明】
【技術分野】
【０００１】胸元を美しく見せる、ブラジャーとパットに関するものである。
【背景技術】
【０００２】最近は、美しい形の形成されたブラジャーが市場に出ておりますが、美しい形に憧れ装着しますと、カップの上辺と胸元との間に、１ｃｍから２ｃｍ程の隙間が生じます。垂れ下がった乳房、加齢の為胸肉が無くなってしまった人、若い人でも乳房の形に合わせるとブラジャーの上辺と胸元との間にやはり、隙間が生じています。美しい乳房なのに貧弱な乳房を連想させて美しくありません。
【考案の開示】
【考案が解決しようとする課題】
【０００３】ブラジャーの上辺と、胸元を密着させることにより、胸元から、カップへと流れる線が直線的になり、美しい姿になります。乳房を持ち上げ押し上げる事によって解決しようとするものです。
【課題を解決するための手段】
【０００４】パットの形状は、ブラジャーカップを縦型の半球と考え、その半球の中心よりやや下部分の内容積で、およそ１／４球形になっており乳房を乗せられる事を特徴とするパットで、パット内の材質として、シリコン又はウレタン或るいは空気などで、漏れない構造の袋に入っている。ブラジャーカップに布を縫い合わせ、パットが収まる脱落防止のポケットを設け、パットを装置し、装着することによって問題が解決します。
【考案の効果】
【０００５】上述のように、持ち上げられた乳房によって、ブラジャー上辺は、胸元との隙間がなくなり首から胸、胸元からブラジャーへの美しい線が得られる。
【考案を実施するための最良の形態】
【０００６】次に、図面に示す一例に従って、本考案を更に詳しく説明するが、この例によって本考案が限定されるものではない。
図１の例では、ブラジャー本体の片方だけの説明になりますが、ブラジャーを内側から見て、形はおよそ円の様に見えます、その円周の下部分に布を縫い合わせパットを入れるポケットを作ります。
図２の例では、パットの形はブラジャーカップを縦型の半球と考え、その半球の中心よりやや下部分の内容積で、乳房を乗せられる特徴があり、パット内の材質としてシリコン又はウレタン或いは空気などで、漏れない構造の袋に入っていて、ブラジャーポケットに装置した姿になっている。
【実施例】
【０００７】以下、添付図面に従って一実施例を説明する。１の布はブラジャー２から３へ結ぶ線と、下部分を布で作り、突き出たカップとの間に立体的な空間が出来、パットを入れるポケットとする。【０００８】４は、カップの中に入れるパットで、乳房を乗せ押し上げる特徴をもっており中味はシリコン、ウレタン、空気等、材料として使える。
【産業上の利用可能性】
【０００９】胸元を美しくありたい、見せたいという願望を満足させるものとして、多くの女性達に、共感を与えられるものと確信します。
【図面の簡単な説明】
【００１０】
【図１】本考案のブラジャーの一実施例を示す正面図である。
【図２】本考案のブラジャーとパットの一部の斜視図である。
【符号の説明】
【００１１】１  ブラジャーポケット部分の布の壁
２  ブラジャーカップの左
３  ブラジャーカップの右
４  乳房を乗せる為のパット
【手続補正３】
【補正対象書類名】図面
【補正対象項目名】全図
【補正方法】変更
【補正の内容】
【図１】
0003130963.tif 000005
【図２】
0003130963.tif 000006